(57)【要約】【課題】長尺材を効率的に搬送することができ、且つ、設備構成が簡単で設備費用を抑えることができる長尺材加工設備における搬送設備を提供すること。【解決手段】長尺材の加工セクションを長尺材の長手方向に複数配置した長尺材加工設備にて、長尺材を長手方向に搬送する搬送設備において、加工セクション間で長尺材を搬送する搬送路１に、走行自在な搬送台車２，３を少なくとも２台以上設け、該搬送台車２，３上には、長尺材を支持する支持部８を昇降自在に支持する支持装置７を配設し、一方、搬送路１には、前記加工セクションで長尺材を加工する際に長尺材を載置する固定作業台４を所定間隔にて複数台設けると共に、該固定作業台の上部には開放部４ａを形成し、前記搬送台車２，３が固定作業台４を通り抜け自在に構成されている。【選択図】    図３
2004307143.tif 000002
【特許請求の範囲】
【請求項１】
長尺材の加工セクションを長尺材の長手方向に複数配置した長尺材加工設備にて、長尺材を長手方向に搬送する搬送設備において、
加工セクション間で長尺材を搬送する搬送路に、走行自在な搬送台車を少なくとも２台以上設け、該搬送台車上には、長尺材を支持する支持部を昇降自在に支持する支持装置を配設し、一方、搬送路には、前記加工セクションで長尺材を加工する際に長尺材を載置する固定作業台を所定間隔にて複数台設けると共に、該固定作業台の上部には開放部を形成し、前記搬送台車が固定作業台を通り抜け自在に構成されている長尺材加工設備における搬送設備。
【請求項２】
前記搬送台車は、長尺パイプを搬送しないときには、前記支持部を下降させた状態で前記固定作業台の内側空間内を通り抜け可能であり、長尺パイプを搬送するときには、前記支持部を上昇させて長尺パイプを支持した状態で、前記支持部が前記固定作業台の前記開放部内を通過することにより固定作業台を通り抜け可能である請求項１に記載の長尺材加工設備における搬送設備。
【請求項３】
前記支持部の上面の支持面は、その両端を角柱状の長尺パイプを支持するために水平面とし、中央部を円柱状の長尺パイプを支持するために凹溝状としている請求項１又は２に記載の長尺材加工設備における搬送設備。
【発明の詳細な説明】
【０００１】
【発明の属する技術分野】
本発明は、長尺材の加工セクションを長尺材の長手方向に複数配置した長尺材加工設備において、長尺材を各加工セクション間で長手方向に搬送するための搬送設備に関する。
【０００２】
【従来の技術】
従来、長尺材加工設備として、長尺材を連続的に加工し最終製品に仕上げるために、長尺材の加工セクションを長尺材の長手方向に複数配置したものが知られている。そして、この長尺加工設備では、各加工セクション間で長尺材を長手方向に搬送するために、例えば特許文献１に開示されているように天井クレーンを用いた搬送設備や、例えば特許文献２、３に開示されているようなコンベアを用いた搬送設備が使用されている。
【０００３】
しかし、天井クレーンを用いた搬送設備では、長尺材を吊り上げるためのスリングや吊具の掛け外しに手間がかかり、搬送効率が悪いという問題がある。また、コンベアを用いた搬送設備では、コンベアを搬送路の全長にわたって定置する必要があるので設備費用が高くなるという問題がある。さらに、長尺材には、角柱状や円柱状のものがあるが、その長尺材の形状に応じて、コンベアの形状を合わせる必要もある。
【０００４】
【特許文献１】
特開平１１−１０６０３６号公報
【０００５】
【特許文献２】
特開平９−２９５０８１号公報
【０００６】
【特許文献３】
特開平９−２７２６１３号公報
【０００７】
【発明が解決しようとする課題】
本発明が解決しようとする課題は、長尺材を効率的に搬送することができ、且つ、設備構成が簡単で設備費用を抑えることができる長尺材加工設備における搬送設備を提供することにある。
【０００８】
【課題を解決するための手段】
上記課題を解決するために、本発明は、長尺材の加工セクションを長尺材の長手方向に複数配置した長尺材加工設備にて、長尺材を長手方向に搬送する搬送設備において、加工セクション間で長尺材を搬送する搬送路に、走行自在な搬送台車を少なくとも２台以上設け、該搬送台車上には、長尺材を支持する支持部を昇降自在に支持する支持装置を配設し、一方、搬送路には、前記加工セクションで長尺材を加工する際に長尺材を載置する固定作業台を所定間隔にて複数台設けると共に、該固定作業台の上部には開放部を形成し、前記搬送台車が固定作業台を通り抜け自在に構成されていることを特徴とするものである。
【０００９】
また、搬送台車は、長尺パイプを搬送しないときには、前記支持部を下降させた状態で前記固定作業台の内側空間内を通り抜け可能であり、長尺パイプを搬送するときには、前記支持部を上昇させて長尺パイプを支持した状態で、前記支持部が前記固定作業台の前記開放部内を通過することにより固定作業台を通り抜け可能であるように構成することができる。
【００１０】
さらに、支持部の上面の支持面については、その両端を円柱状の長尺パイプを支持するために水平面とし、中央部を円柱状の長尺パイプを支持するために凹溝状とすることで、角柱状と円柱状の両方の長尺パイプに対応できるようにすることができる。
【００１１】
【発明の実施の形態】
以下、本発明の実施の形態を図面に示す実施例に基づき説明する。
【００１２】
図１は、本発明の一実施例に係る搬送設備を適用した長尺材加工設備の一部を示す正面図である。長尺材加工設備には、図示しない加工セクションが長手方向（図において左右方向）に複数配置されており、各加工セクション間で長尺材を搬送する搬送路１に、図面では２台の搬送台車２，３が設けられている。また、搬送路１には、加工セクションで長尺材を加工する際に長尺材を載置するための固定作業台４が所定間隔にて複数台設けられている。
【００１３】
図２は搬送台車の構成を示し、（ａ）は平面図、（ｂ）は正面図である。搬送台車２，３は同一の構成であり、図２に示すように、車輪５を備えた車台６を有し、これによって搬送路１上を自在に走行できるようになっている。
【００１４】
車台６上にはエアーバネ式の昇降装置７が設けられ、その昇降装置７上には長尺材を支持するための支持部８が設けられている。すなわち、昇降装置７は、支持部８を昇降自在に支持する支持装置となっている。また、昇降装置７及び支持部８は昇降ガイド９と連接されており、昇降ガイド９でガイドされながら垂直方向に昇降するようになっている。
【００１５】
図３は、搬送台車と固定作業台との関係を示す側面図である。
【００１６】
同図に示すように、搬送台車２，３の支持部８は、車台６側から立ち上がる基部８ａと基部８ａの上端から側方に拡がる載置部８ｂとからなる。載置部８ｂの上面は長尺材を支持する支持面となっており、その両端は角柱状の長尺パイプ１０を支持するために水平面とされ、中央部には円柱状の長尺パイプ１１を支持するためにＶ字状の凹溝８ｃが形成されている。
【００１７】
一方、固定作業台４は門型状に形成されており、上部には開放部４ａが設けられている。開放部４ａは、上記の支持部８の基部８ａが通過可能な幅を有している。また、固定作業台４の上面には、加工セクションで長尺材を加工する際に角柱状の長尺材１０を載置するためのボックス受台４ｂが設けられ、開口部４ａの開口端には、円柱状の長尺材１１を載置するためのパイプ受け４ｃ又はターニングロール４ｄが設けられている。パイプ受け４ｃは、加工セクションで円柱状の長尺材１１を回転させる必要がない場合に設けられ、回転させる必要がある場合はターニングロール４ｄが設けられる。
【００１８】
以上の構成において、ある加工セクションにおいて加工のために固定作業台４に載置された長尺材を次の加工セクションまで搬送するには、少なくとも２台の搬送台車２，３を使用する。各搬送台車２，３間の間隔は長尺材の長さに応じて設定される。まず、各搬送台車２，３の昇降装置７によって支持部８を上昇させ、長尺材を固定作業台４の上面より上に持ち上げる（図３の一点鎖線の状態）。そして、この状態で、搬送台車２，３を搬送路１に沿って次の加工セクションまで走行させる。この際、固定作業台４には先に説明したように、その上部に支持部８の基部８ａが通過可能な開放部４ａが設けられているので、搬送台車２，３は、搬送路１の途中にある固定作業台４を通り抜けることができる。
【００１９】
所定の加工セクションに到着したら、各搬送台車２，３の昇降装置７によって支持部８を下降させ、長尺材をその加工セクションに対応する固定作業台４上に載置する。支持部８を下降させた状態の各搬送台車２，３は、図３に実線で示すように、固定作業台４の内部空間内を通り抜け可能であるので、別の長尺材を搬送するために所定の場所に自由に移動することができる。
【００２０】
このように、２台の搬送台車２，３があれば、長尺材の搬送は可能であるが、搬送効率を上げるためには３台又はそれ以上の搬送台車を設けることもできる。
【００２１】
【発明の効果】
本発明によれば、少なくとの２台の搬送台車を設けるだけで、長尺材を搬送できるので、設備構成が簡単となり、設備費用を抑えることができる。しかも、各搬送台車間の間隔を長尺材の長さに応じて設定し、搬送台車の支持装置と支持部によって長尺材を持ち上げるだけで、如何なる長さの長尺材であっても容易に搬送できるので、搬送効率も向上する。
【００２２】
さらに、支持部の支持面の両端を角柱状の長尺パイプを支持するために水平面とし、中央部を円柱状の長尺パイプを支持するために凹溝状とすれば、１つの搬送設備で角柱状と円柱状の両方の長尺パイプに対応できるので、さらに設備費用を抑えることができ、搬送効率も上げることができる。
【図面の簡単な説明】
【図１】本発明の一実施例に係る搬送設備を適用した長尺材加工設備の一部を示す正面図である。
【図２】搬送台車の構成を示し、（ａ）は平面図、（ｂ）は正面図である。
【図３】搬送台車と固定作業台との関係を示す側面図である。
【符号の説明】
１  搬送路
２，３  搬送台車
４  固定作業台
４ａ  開放部
４ｂ  ボックス受台
４ｃ  パイプ受け
４ｄ  ターニングロール
５  車輪
６  車台
７  昇降装置（支持装置）
８  支持部
８ａ  基部
８ｂ  載置部
８ｃ  凹溝
９  昇降ガイド
１０  角柱状の長尺パイプ
１１  円柱状の長尺パイプ
【図１】
2004307143.tif 000003
【図２】
2004307143.tif 000004
【図３】
2004307143.tif 000005